(57)【要約】【課題】複数の者が記憶装置を共有する場合であっても、互いに録画内容を知られることのない、遠隔制御システム、記憶装置、電子機器、遠隔制御方法、及び遠隔制御プログラムを提供することを可能とする。【解決手段】  携帯端末９は、コンテンツの配信予定を受信し、該配信予定に従って、記録すべきメディアコンテンツをＤＶＤ／ＨＤＤレコーダ７に対して指定する。ＤＶＤ／ＨＤＤレコーダ７は、携帯端末９から指定されたコンテンツを、携帯端末９を特定する情報に対応付けて記録する。また、携帯端末９は、携帯端末９を特定する情報とコンテンツを再生出力させるための再生指示コマンドとを赤外線通信によりＤＶＤ／ＨＤＤレコーダ７に送信する。ＤＶＤ／ＨＤＤレコーダ７は、上記再生指示コマンドを受信すると、端末を特定する情報に対応付けられて記憶されているコンテンツを読み出し、テレビ５に再生出力する。【選択図】図１
2008085741.tif 000002
【特許請求の範囲】
【請求項１】
メディアコンテンツを記憶する記憶装置とこの記憶装置を遠隔制御する電子機器とを含む遠隔制御システムであって、
前記電子機器は、
当該電子機器を特定するための第１のデータを記憶する第１の記憶手段と、
この第１の記憶手段に記憶された第１のデータと、前記記憶装置の記憶内容の表示を指示する第２のデータとを送信する第１の送信手段と
を備え、前記記憶装置は、
記憶されたメディアコンテンツに対応付けて、前記第１のデータを記憶する第２の記憶手段と、
前記第１の送信手段によって送信された第１のデータと第２のデータとを受信する第１の受信手段と、
この第１の受信手段によって受信された第１のデータに基づいて前記第２の記憶手段の記憶内容を参照し、前記第２のデータに基づいて、前記第１のデータと対応付けて記憶されているメディアコンテンツを読み出すよう制御する制御手段と
を備えたことを特徴とする遠隔制御システム。
【請求項２】
前記メディアコンテンツは、配信予定に基づいて配信されるものであり、
前記電子機器は、
前記配信予定を受信する第２の受信手段と、
この第２の受信手段によって受信された配信予定に基づいて、記憶すべきメディアコンテンツを指定する指定手段と、
この指定手段によって指定されたメディアコンテンツを特定する第３のデータを前記第１のデータとともに前記記憶装置に送信する第２の送信手段と
を更に備え、前記記憶装置は、
前記第２の送信手段によって送信された第１のデータと第３のデータとを受信する第３の受信手段と、
前記第３の受信手段によって受信された第３のデータに基づいて、前記メディアコンテンツを受信する第４の受信手段と、
この第４の受信手段によって受信されたメディアコンテンツを前記第１のデータに関連付けて記憶するよう制御する第１の記憶制御手段と
を更に備えたことを特徴とする請求項１に記載の遠隔制御システム。
【請求項３】
前記電子機器は、
前記第３のデータに基づいて前記メディアコンテンツを受信する第５の受信手段と、
この第５の受信手段によって受信されたメディアコンテンツを前記第３のデータに関連付けて記憶する第３の記憶手段と
を更に備えたことを特徴とする請求項２に記載の遠隔制御システム。
【請求項４】
前記電子機器は、
前記メディアコンテンツを受信する第６の受信手段と、
この第６の受信手段によって受信されたメディアコンテンツに前記第３のデータが付加されているか否かを判断する判断手段と、
この判断手段により前記第３のデータが付加されていると判断すると、前記第６の受信手段によって受信されたメディアコンテンツを前記第３のデータに関連付けて記憶する第４の記憶手段と
を更に備えたことを特徴とする請求項２に記載の遠隔制御システム。
【請求項５】
前記記憶装置は、
前記メディアコンテンツが既に配信され記憶済みか否かを判断するための識別情報を前記第３のデータと対応付けて前記第２の記憶手段に記憶するよう制御する第２の記憶制御手段と、
前記電子機器から送信された第１のデータと第２のデータとに基づいて、記憶済みのメディアコンテンツに関するコンテンツ情報を前記電子機器に送信する第３の送信手段と
を更に備えたことを特徴とする請求項２乃至４のいずれかに記載の遠隔制御システム。
【請求項６】
前記メディアコンテンツを記憶する第１の記憶手段と、
この記憶手段に記憶されたメディアコンテンツに対応付けて、遠隔制御機器を特定するための第１のデータを記憶する第２の記憶手段と、
前記遠隔制御機器から当該機器を特定する第１のデータと前記記憶手段の記憶内容を表示させることを指示する第２のデータとを受信する第１の受信手段と、
この第１の受信手段によって受信された第１のデータに基づいて前記第２の記憶手段の記憶内容を参照し、前記第２のデータに基づいて前記第１のデータと対応付けて記憶されているメディアコンテンツを前記第１の記憶手段から読み出すよう制御する制御手段と
を備えたことを特徴とする記憶装置。
【請求項７】
前記遠隔制御機器から送信され、記憶すべきメディアコンテンツを特定する第３のデータを前記第１のデータとともに受信する第２の受信手段と、
この第２の受信手段によって受信された第３のデータに基づいて、前記メディアコンテンツを受信する第３の受信手段と、
この第３の受信手段によって受信されたメディアコンテンツを、前記第１の記憶手段に記憶させるとともに、この記憶されたメディアコンテンツに対応付けて、前記第１のデータを第２の記憶手段に記憶させる第１の記憶制御手段と
を更に備えたことを特徴とする請求項６に記載の記憶装置。
【請求項８】
前記メディアコンテンツが既に配信され記憶済みか否かを判断するための識別情報を、前記第１のデータに対応付けて前記第１の記憶手段に記憶するよう制御する第２の記憶制御手段と、
前記外部遠隔制御機器から送信された第１のデータと第２のデータとに基づいて、記憶済みのメディアコンテンツに関するコンテンツ情報を前記遠隔制御機器に送信する送信手段と
を更に備えたことを特徴とする請求項６または７に記載の記憶装置。
【請求項９】
配信予定に基づいて配信されるメディアコンテンツを記憶する記憶装置を遠隔制御する電子機器であって、
当該電子機器を特定するための第１のデータを記憶する第１のデータ記憶手段と、
前記メディアコンテンツの配信予定を受信する配信予定受信手段と、
この配信予定受信手段によって受信された配信予定に基づいて、記憶すべきメディアコンテンツを指定する指定手段と、
この指定手段によって指定されたメディアコンテンツを特定する第２のデータを、前記第１のデータとともに前記記憶装置へ送信する送信手段と
を備えたことを特徴とする電子機器。
【請求項１０】
前記指定手段によって指定されたメディアコンテンツを記憶する第２の記憶手段と、
前記指定手段によって指定されたメディアコンテンツの表示を指示する指示手段と、
この指示手段により前記メディアコンテンツの表示が指示されると、前記第１の記憶手段及び第２の記憶手段における、前記メディアコンテンツの記憶状態を表示する表示手段と
を更に備えたことを特徴とする請求項９に記載の電子機器。
【請求項１１】
配信予定に基づいて配信されるメディアコンテンツを記憶する記憶装置に対する遠隔記憶制御方法であって、  
前記メディアコンテンツの配信予定を受信する配信予定受信ステップと、
この配信予定受信ステップにて受信された配信予定に基づいて、記憶すべきメディアコンテンツを指定する指定ステップと、
自己を特定するための第１のデータを記憶する記憶部より第１のデータを読み出し、前記指定ステップにて指定されたメディアコンテンツを特定する第２のデータとともに前記記憶装置へ送信する送信ステップと
からなることを特徴とする遠隔記憶制御方法。
【請求項１２】
配信予定に基づいて配信されるメディアコンテンツを記憶する記憶装置に対し遠隔制御を行う遠隔制御プログラムであって、  
コンピュータに、
前記メディアコンテンツの配信予定を受信する配信予定受信手段、
この配信予定受信手段によって受信された配信予定に基づいて、記憶すべきメディアコンテンツを指定する指定手段、
自己を特定するための第１のデータを記憶する記憶部より第１のデータを読み出し、前記指定ステップにて指定されたメディアコンテンツを特定する第２のデータとともに前記記憶装置へ送信する送信手段
として機能させることを特徴とする遠隔制御プログラム。
【発明の詳細な説明】
【技術分野】
【０００１】
本発明は、メディアコンテンツを記憶する記憶装置とこの記憶装置を遠隔制御する電子機器とを含む遠隔制御システム、この遠隔制御システムの記憶装置、電子機器、遠隔制御方法、及び、遠隔制御プログラムに関する。
【背景技術】
【０００２】
近年、地上波デジタル放送システムや、サーバ蓄積型配信システム等の普及に伴い、デジタル化された放送番組に相当するメディアコンテンツを、受信・再生表示したり、記憶したりする装置が普及している。
【０００３】
また、特許文献１に記載されているように、上記の装置に赤外線通信機能や、近接無線通信機能を備えさせるとともに、この装置を遠隔操作する携帯電話機にも同様の機能を備えさせることにより、遠隔制御で視聴・録画予約を可能とする技術も考えられている。
【０００４】
【特許文献１】特開２００６−１０９０９４号公報（第６〜７頁、図２〜５参照）
【発明の開示】
【発明が解決しようとする課題】
【０００５】
しかしながら、上述した特許文献１に記載されるシステムにあっては、携帯端末と上記装置とは一対一で対応しているため、複数の携帯端末からの録画予約の場合、携帯電話別に記憶されているメディアコンテンツを管理することができない問題が考えられる。
【０００６】
すなわち、どのような携帯電話からであれ、録画内容の確認・表示が指示されると、録画内容について知ることができてしまうので、例えば夫々が遠隔制御機能を備えた携帯電話を所有している者が、記憶装置を共有して使用する場合には、夫々が所望するメディアコンテンツ、及び、その録画予約状況等が全て見られてしまうという問題があった。
【０００７】
そこで本発明は、複数の者が記憶装置を共有する場合であっても、互いに録画内容を知られることのない、遠隔制御システム、記憶装置、電子機器、遠隔制御方法、及び遠隔制御プログラムを提供することを目的とする。
【課題を解決するための手段】
【０００８】
上記目的達成のため、請求項１に記載の発明は、メディアコンテンツを記憶する記憶装置とこの記憶装置を遠隔制御する電子機器とを含む遠隔制御システムであって、前記電子機器は、当該電子機器を特定するための第１のデータを記憶する第１の記憶手段と、この第１の記憶手段に記憶された第１のデータと、前記記憶装置の記憶内容の表示を指示する第２のデータとを送信する第１の送信手段とを備え、前記記憶装置は、記憶されたメディアコンテンツに対応付けて、前記第１のデータを記憶する第２の記憶手段と、前記第１の送信手段によって送信された第１のデータと第２のデータとを受信する第１の受信手段と、この第１の受信手段によって受信された第１のデータに基づいて前記第２の記憶手段の記憶内容を参照し、前記第２のデータに基づいて、前記第１のデータと対応付けて記憶されているメディアコンテンツを読み出すよう制御する制御手段とを備えたことを特徴とする。
【０００９】
また請求項２記載の発明は、上記請求項１に記載の発明に加え、前記メディアコンテンツは、配信予定に基づいて配信されるものであり、前記電子機器は、前記配信予定を受信する第２の受信手段と、この第２の受信手段によって受信された配信予定に基づいて、記憶すべきメディアコンテンツを指定する指定手段と、この指定手段によって指定されたメディアコンテンツを特定する第３のデータを前記第１のデータとともに前記記憶装置に送信する第２の送信手段と、を更に備え、前記記憶装置は、前記第２の送信手段によって送信された第１のデータと第３のデータとを受信する第３の受信手段と、前記第３の受信手段によって受信された第３のデータに基づいて、前記メディアコンテンツを受信する第４の受信手段と、この第４の受信手段によって受信されたメディアコンテンツを前記第１のデータに関連付けて記憶するよう制御する第１の記憶制御手段とを更に備えたことを特徴とする。
【００１０】
また、請求項３に記載の発明は、上記請求項２に記載の発明に加え、前記電子機器は、  前記第３のデータに基づいて前記メディアコンテンツを受信する第５の受信手段と、  この第５の受信手段によって受信されたメディアコンテンツを前記第３のデータに関連付けて記憶する第３の記憶手段とを更に備えたことを特徴とする。
【００１１】
また、請求項４に記載の発明は、上記請求項２に記載の発明に加え、前記電子機器は、前記メディアコンテンツを受信する第６の受信手段と、この第６の受信手段によって受信されたメディアコンテンツに前記第３のデータが付加されているか否かを判断する判断手段と、この判断手段により前記第３のデータが付加されていると判断すると、前記第６の受信手段によって受信されたメディアコンテンツを前記第３のデータに関連付けて記憶する第４の記憶手段とを更に備えたことを特徴とする。
【００１２】
また請求項５に記載の発明は、上記請求項２乃至４のいずれかに記載の発明に加え、前記記憶装置は、前記メディアコンテンツが既に配信され記憶済みか否かを判断するための識別情報を前記第３のデータと対応付けて前記第２の記憶手段に記憶するよう制御する第２の記憶制御手段と、前記電子機器から送信された第１のデータと第２のデータとに基づいて、記憶済みのメディアコンテンツに関するコンテンツ情報を前記電子機器に送信する第３の送信手段とを更に備えたことを特徴とする。
【００１３】
上記目的達成のため、請求項６に記載の発明は、前記メディアコンテンツを記憶する第１の記憶手段と、この記憶手段に記憶されたメディアコンテンツに対応付けて、遠隔制御機器を特定するための第１のデータを記憶する第２の記憶手段と、前記遠隔制御機器から当該機器を特定する第１のデータと前記記憶手段の記憶内容を表示させることを指示する第２のデータとを受信する第１の受信手段と、この第１の受信手段によって受信された第１のデータに基づいて前記第２の記憶手段の記憶内容を参照し、前記第２のデータに基づいて前記第１のデータと対応付けて記憶されているメディアコンテンツを前記第１の記憶手段から読み出すよう制御する制御手段とを備えたことを特徴とする。
【００１４】
また、請求項７に記載の発明は、上記請求項６に記載の発明に加え、前記遠隔制御機器から送信され、記憶すべきメディアコンテンツを特定する第３のデータを前記第１のデータとともに受信する第２の受信手段と、この第２の受信手段によって受信された第３のデータに基づいて、前記メディアコンテンツを受信する第３の受信手段と、この第３の受信手段によって受信されたメディアコンテンツを、前記第１の記憶手段に記憶させるとともに、この記憶されたメディアコンテンツに対応付けて、前記第１のデータを第２の記憶手段に記憶させる第１の記憶制御手段とを更に備えたことを特徴とする。
【００１５】
また、請求項８に記載の発明は、上記請求項６または７に記載の発明に加え、前記メディアコンテンツが既に配信され記憶済みか否かを判断するための識別情報を、前記第１のデータに対応付けて前記第１の記憶手段に記憶するよう制御する第２の記憶制御手段と、前記外部遠隔制御機器から送信された第１のデータと第２のデータとに基づいて、記憶済みのメディアコンテンツに関するコンテンツ情報を前記遠隔制御機器に送信する送信手段とを更に備えたことを特徴とする。
【００１６】
上記目的達成のため、請求項９に記載の発明は、配信予定に基づいて配信されるメディアコンテンツを記憶する記憶装置を遠隔制御する電子機器であって、当該電子機器を特定するための第１のデータを記憶する第１のデータ記憶手段と、前記メディアコンテンツの配信予定を受信する配信予定受信手段と、この配信予定受信手段によって受信された配信予定に基づいて、記憶すべきメディアコンテンツを指定する指定手段と、この指定手段によって指定されたメディアコンテンツを特定する第２のデータを、前記第１のデータとともに前記記憶装置へ送信する送信手段とを備えたことを特徴とする。
【００１７】
また、請求項１０に記載の発明は、上記請求項９記載の発明に加え、前記指定手段によって指定されたメディアコンテンツを記憶する第２の記憶手段と、前記指定手段によって指定されたメディアコンテンツの表示を指示する指示手段と、この指示手段により前記メディアコンテンツの表示が指示されると、前記第１の記憶手段及び第２の記憶手段における、前記メディアコンテンツの記憶状態を表示する表示手段とを更に備えたことを特徴とする。
【００１８】
上記目的達成のため、請求項１１に記載の発明は、配信予定に基づいて配信されるメディアコンテンツを記憶する記憶装置に対する遠隔記憶制御方法であって、前記メディアコンテンツの配信予定を受信する配信予定受信ステップと、この配信予定受信ステップにて受信された配信予定に基づいて、記憶すべきメディアコンテンツを指定する指定ステップと、自己を特定するための第１のデータを記憶する記憶部より第１のデータを読み出し、前記指定ステップにて指定されたメディアコンテンツを特定する第２のデータとともに前記記憶装置へ送信する送信ステップとからなることを特徴とする
【００１９】
上記目的達成のため、請求項１２に記載の発明は、配信予定に基づいて配信されるメディアコンテンツを記憶する記憶装置に対し遠隔制御を行う遠隔制御プログラムであって、コンピュータに、前記メディアコンテンツの配信予定を受信する配信予定受信手段、この配信予定受信手段によって受信された配信予定に基づいて、記憶すべきメディアコンテンツを指定する指定手段、自己を特定するための第１のデータを記憶する記憶部より第１のデータを読み出し、前記指定ステップにて指定されたメディアコンテンツを特定する第２のデータとともに前記記憶装置へ送信する送信手段として機能させることを特徴とする。
【発明の効果】
【００２０】
本発明によれば、電子機器は、当該電子機器を特定するための第１のデータと、記憶装置の記憶内容の表示を指示する第２のデータとを送信すると、記憶装置は、この第１のデータと第２のデータとを受信し、第１のデータに基づいてこの電子機器に対応付けられて記憶されているメディアコンテンツについて、第２のデータに基づいて、読み出すよう制御する。したがって、複数の者が記憶装置を共有する場合であっても、互いに録画内容を知られることがないという利点が得られる。
【発明を実施するための最良の形態】
【００２１】
以下、本発明の実施の形態を、図面を参照して説明する。
【００２２】
Ａ．実施形態の構成
図１は、本発明の実施形態によるメディアコンテンツシステムの構成を示すブロック図である。図において、デジタル放送システム１は、後述するＷＷＷ（World Wide Web）３もしくは放送システム１５を介して配信すべきメディアコンテンツを保持・管理する。該デジタル放送システム１は、配信システム１１、認証システム１２、ゲートウェイサーバ１３、メディアコンテンツデータベース１４からなる。
【００２３】
配信システム１１は、メディアコンテンツデータベース１４に記録されているメディアコンテンツを配信する。認証システム１２は、ＷＷＷ３を介して、メディアコンテンツを配信する際のユーザ認証を行う。ゲートウェイサーバ１３は、携帯端末９からのアクセスに従ってセッションを確立する。メディアコンテンツデータベース１４は、複数のメディアコンテンツを記録している。
【００２４】
また、配信システム１１は、後述する携帯端末９からメディアコンテンツを特定するための番組情報、該メディアコンテンツの一部を特定するための時間情報および携帯端末９の機種を特定するための機器情報が送信されてくると、該番組情報、再生時間情報および機器情報に従って、メディアコンテンツデータベース１４に記録されているメディアコンテンツを取り出し、さらにその一部を抽出するなどの編集を行い、該編集したメディアコンテンツを携帯端末９で再生可能なファイル形式に変換し、携帯端末９に転送する。
【００２５】
より具体的には、配信システム１１では、番組情報（放送局、放送時日時、番組名など）に従って、取り出すべきメディアコンテンツを特定し、時間情報（再生開始時刻と終了時刻時刻）に従って、該特定したメディアコンテンツから一部を抽出し、機器情報（携帯端末９の表示能力：表示画面サイズ）に従って、該当番組のメディアコンテンツをＨ．２６４等に代表されるＭＰＥＧ−４形式に変換する。
【００２６】
放送システム１５は、デジタル放送システム１から配信されるメディアコンテンツをＯＦＤＭ（Orthogonal Frequency
Division Multiplexing：直交周波数分割多重）方式で変調して、放送アンテナ１６を介して地上波デジタル放送として一斉放送する。
【００２７】
家庭内には、テレビ５が設置されており、該テレビ５には、ＤＶＤ／ＨＤＤレコーダ７が接続されている。テレビ５は、放送システム１５が放送アンテナ１６を介して放送するメディアコンテンツを受信して表示したり、ＤＶＤ／ＨＤＤレコーダ７により再生されたメディアコンテンツを表示したりする。ＤＶＤ／ＨＤＤレコーダ７は、放送システム１５によって放送されるメディアコンテンツを内蔵チューナにより受信し、ＤＶＤ記録媒体や内蔵のＨＤＤに記録する。
【００２８】
携帯端末９は、自身で放送アンテナ１６から配信される地上波デジタル放送を受信するチューナを備え、１３セグメントで多重化されて配信される番組（メディアコンテンツ）のうち、中央の１セグメントのみを受信・再生表示・記録する。また、携帯端末９は、ＤＶＤ／ＨＤＤレコーダ７との間で、赤外線通信（キーワードによる番組録画予約データの送信用）を行うことが可能な通信機能を実装している。
【００２９】
無線通信サービス事業者（兼ＩＳＰ）２１は、デジタル放送システム１からＷＷＷ３を介して配信されるメディアコンテンツを受信し、基地局２２、２２、２２を介してそれぞれの通信圏内に配信する。
【００３０】
次に、図２は、本実施形態によるＤＶＤ／ＨＤＤレコーダ７の構成を示すブロック図である。図において、チューナ部７０１は、ＯＦＤＭ方式により変調された一放送局あたり５．５７ＭＨｚの帯域（１セグメントあたり４２９ＫＨｚ）で１３セグメントに分割された搬送波のうち、中央の１セグメント以外の、１２セグメントのＭＰＥＧ−２（ＴＳ）のデータを受信／復調する。
【００３１】
管理情報記憶部７０２は、図３（ａ）または同図（ｂ）に示すように、リモコンＩＤ毎に対応付けられた、登録名、キーワード、放送番組名、放送局、放送時間、記録済フラグ、移動端末側記録済フラグからなる。リモコンＩＤとは、赤外線通信の際、どのリモコンからの制御信号なのかを識別するために設けられるもので、市販のリモコンの場合、再生装置と一対一の関係にあるため、この“リモコンＩＤ”に相当する信号は規定されていない。
【００３２】
本実施形態では、この“リモコンＩＤ”として、後述の携帯端末９の加入者メモリ９０５８に記憶される電話番号（端末を特定する情報）を送信する赤外線コントロール信号のヘッダに付加して送信する。つまり、赤外線コントロール信号のヘッダに“リモコンＩＤ”が付加されていれば、その“リモコンＩＤ”と関連のあるメディアコンテンツ（放送番組）についてのみコントロール（一覧表示、再生、消去、新規録画キーワード登録等）が可能になる。
【００３３】
これはつまり、ＤＶＤ／ＨＤＤレコーダ７が家庭に一台しかなく、家族がそれぞれリモコン機能を備えた携帯電話を持っている場合、自分が携帯電話を用いて設定した内容のみコントロールすることで、自分以外の誰かに録画内容を見られたり、録画内容を消去されたりすることを防止できるというメリットがある。
【００３４】
なお、「登録名」と「キーワード」は実施形態では別に設定している。これは、電子番組表から取得する情報において、できるだけその個人が録画したいと思う番組を選別できるようにしたものであり、キーワードは、電子番組表から抽出するための情報であり、登録名は、例えば、設定メニュー表示の際に表示させる情報である。
【００３５】
放送番組名、放送局、放送時間については、電子番組表から取得できる情報であるが、これに限らない。記録済みフラグは、録画予約されたものについて記録できたか否かを判別するためのフラグであり、携帯端末側記録済みフラグは、後述のリンクフローチャートにて、携帯端末９側から取得する情報である。なお、図３（ａ）には、リンク前、同図（ｂ）には、リンク後の記憶状態を示しているが、リンク後については、後述するリンク処理の中で説明するのに使用する。
【００３６】
制御部７０３は、所定のプログラムに従って、各部を制御する。特に、本実施形態では、制御部７０３は、記録媒体（ＨＤＤ）７１４、若しくはＤＶＤ等の記録媒体７１３に記録されたＭＰＥＧ−２形式のメディアコンテンツの一覧表示、選択されたメディアコンテンツのインデックス（放送局／番組情報など）の表示、メディアコンテンツの所定フレーム区間の決定、外部機器である携帯端末９の認証、メディアコンテンツを特定するための番組情報および時間情報の携帯端末９への転送制御などを行う。
【００３７】
ＭＰＥＧ−２（ＴＳ）復号化回路７０４は、チューナ部７０１により受信／復調されたＭＰＥＧ−２（ＴＳ）ファイルのＴＳに従って、ビデオデータやオーディオデータ、データ放送用の各種データをデコードする。映像処理部７０５は、出力すべき機器（ＴＶ５、ビデオモニタ、ＰＣ等）に応じて映像を最適化する。音声処理部７０６は、出力すべき機器（ＴＶ５、ビデオモニタ、ＰＣ等）に応じて音声を最適化する。
【００３８】
ＡＶ  Ｉ／Ｏ７０７は、映像処理部７０５からの映像、音声処理部７０６からの音声をテレビ５へ出力する。通信処理部７０８は、上述したルータ＆ＡＤＳＬモデム６を介して、家庭内ＬＡＮに接続のためのハード＆ソフトウェアである。操作部７１０は、リモートコントローラを含み、チャンネルボタン、音量ボタン、電源ボタン、再生、録画、巻き戻し、早送り、一時停止などを備えている。
【００３９】
特に、本実施形態では、リモートコントローラを含む操作部７１０は、記録済データの一覧表示を指示したり、外部記録媒体８に書き出すメディアコンテンツを選択したり、外部記録媒体８に書き出すメディアコンテンツの所定フレーム区間（第１のインデックスマークから第２のインデックスマークまでの区間）を指定するために用いられる。
【００４０】
書き込み／読み出し処理部７１２は、ＤＶＤメディア７１３へＭＰＥＧ−２形式のデータを記録する一方、ＤＶＤメディア７１３に記録されているＭＰＥＧ−２形式のデータを読み出す。記録媒体（ＨＤＤ）７１４は、ＭＰＥＧ−２形式で録画データを記録する。ＲＡＭ７１５は、制御部７０３のワーキングエリア、各種データの一時記録エリア、パラメータの記録エリア等からなる。
【００４１】
Ｉｒ通信処理部７１６は、受光素子７１６１、発光素子７１６２を備え、携帯端末９や備え付けのリモコンから送信される赤外線を受光する。この受光された赤外線には、録画予約用の情報として用いられるキーワードが含まれる。
【００４２】
次に、図４は、本実施形態による携帯端末９の構成を示すブロック図である。図において、受信信号処理部９０１は、データ通信モードの開始指示をスイッチ回路９０５１より受けると、外部の無線基地局とのネゴシエーション（端末認証、回線接続）を開始し、通信帯域幅を一時的に占有する処理を行う。そして、内蔵アンテナ９０２により受信された無線信号より自機宛に符号変調された信号を抽出して、スイッチ回路９０５１を介して通信データ処理部９０５２に出力する。
【００４３】
通信信号処理部９０３は、待受け状態においても、また、データ通信モードにおいても、常に電源供給されており、通信データ処理部９０５２からのデジタル変調信号（送信音声データ、メールデータ、ネットワーク接続情報を含むパケットデータ）を、符号変調してメインアンテナ９０４より出力する。また、一方で、無線基地局より送信され、メインアンテナ９０４により受信された無線信号より自機宛に符号変調された信号を抽出して、スイッチ回路９０５１を介して通信データ処理部９０５２に出力する。
【００４４】
第１制御部９０５は、無線基地局、及びその後段にあたる、通信サービス事業者、インターネット等のネットワークインフラを介して接続されるデータベース等の、情報資源との接続制御を中心とした処理を行う。なお、本実施の形態においては、携帯端末９は２つの制御部を備えており、通信処理全般については第１制御部９０５、その他、撮影処理、画像処理、および、映像の再生処理に関しては後述の第２制御部９０９で行う。
【００４５】
スイッチ回路９０５１は、通信データ処理部９０５２からの制御信号を受け、受信信号処理部９０１、通信信号処理部９０３への電源供給、処理動作開始終了の制御を行う。詳細には、通常電源オン状態、もしくは、受信ＯＮモード状態であれば、通信信号処理部９０３のみに電源を供給して動作させ、一方で、ユーザがネットワーク接続キーを操作したか、あるいは、予め設定されたスケジュールに従い、データ通信モードの開始が指示された場合は、受信信号処理部９０１と通信信号処理部９０３とを動作させる。
【００４６】
通信データ処理部９０５２は、音声処理部９０５５より出力されたＣＥＬＰ系デジタル音声データをＰＳＫ系方式に対応する信号に変調、及び拡散符号に変調するとともに、受信信号処理部９０１、通信信号処理部９０３にて受信される符号変調された信号をＰＳＫ系方式、及び／又は、ＱＡＭ系方式のデジタル信号に復号する処理を行う。
【００４７】
システムＲＯＭ９０５３は、通信制御のための制御プログラムを格納する。本実施の形態の特徴としては、通常の通信ネゴシエーションプログラムの他に受信信号処理部９０１と通信信号処理部９０３との動作切替制御プログラムを記憶する。これにより、データ通信モードの開始が指示された場合に、メインアンテナ９０４と内蔵アンテナ９０２によるスペースダイバーシチ受信を行わせて、一時的に通信帯域幅を占有し、受信信号処理部９０１、通信信号処理部９０３の双方より出力される符号変調された信号をほぼ同時にＱＡＭ系方式のデジタル信号に復号、合成して、インターフェース処理部９０５４を介してバス９０８に出カする。
【００４８】
音声処理部９０５５は、ＣＥＬＰ系の音声変調／復調システムと、ＭＰＥＧオーディオ系の音声復調システムとを備え、通話状態においては、スイッチ回路９０５６に供給してスピーカ３５から出力するとともに、マイク４０から入力される音声を取り込む。
【００４９】
スイッチ回路９０５６は、通話状態においては、音声処理部９０５５から出力されるアナログ音声をメインスピーカ３５から出力させるともに、後述のムービー再生モードにおいては、オーディオアンプ９０５７を介してムービーファイルに格納されるオーディオ信号をメインスピーカ３５から出力させる処理を行う一方、ムービーファイルに格納されるオーディオデータがステレオ対応である場合、オーディオ信号（Ｒ）をメインスピーカ３５から出力させる処理を行う。スイッチＳＷは、第２制御部２２からの制御により、ムービーファイルに格納されるオーディオデータがステレオ対応である場合、音声出力系ドライバ９１６からのオーディオ信号（Ｌ）をサブスピーカ３７に出力する。加入者メモリ９０５８は、無線通信サービス事業者２１を介して外部から呼び出される場合に使用される、当該携帯端末固有の情報、すなわち、電話番号や、加入者識別情報が記憶されている。
【００５０】
第２制御部９０９は、ムービー再生モードにおけるデータ通信モードによりダウンロードしたムービーファイルや、カメラモードにおける静止画／動画の再生表示処理、及び、カメラモードにおける撮影処理全般の制御、また、本発明においては、データ通信モードによりダウンロードしたＨＥ−ＡＡＣ形式のオーディオファイルを伸張・復号して再生可能な楽音データに変換する処理も行う。
【００５１】
プログラムＲＯＭ９１０は、ムービー再生モード、カメラモード、アラーム報知の際のオーディオファイルの伸張・復号・再生出力に関する各処理プログラムを格納する。ＲＡＭ９１１は、データ通信処理や、音声通信において必要とされる各種データを記憶する。特に、本実施形態では、該ＲＡＭ９１１は、記録管理部９１１１を有する。
【００５２】
上記記録管理部９１１１は、図５（ａ）または同図（ｂ）に示すように、登録名毎に対応付けられた、キーワード、放送番組名、放送局、放送時間、記録済フラグ、ＤＶＤ／ＨＤＤ側記録済フラグ、縮小画像ファイル名からなる。図３に示すデータ構造とほぼ同じであるが、記録済みのメディアコンテンツについては、縮小画像（静止画）を記憶する。但し、記憶されていなくても、後述のリンクフローチャートにおいて、ＤＶＤ／ＨＤＤレコーダ７において記録されていれば、リンク時に、そのメディアコンテンツについて縮小画像が送信される。なお、図５（ａ）には、リンク前、同図（ｂ）には、リンク後の記憶状態を示しているが、リンク後については、後述するリンク処理の中で説明するのに使用する。
【００５３】
圧縮伸張処理部９１２は、ＭＰＥＧ−２、ＭＰＥＧ−４に対応し、カメラモードにて撮影された静止画／動画を圧縮処理するとともに、ムービー再生モードにおけるデータ通信モードによりダウンロ−ドしたムービーファイルや、カメラモードにおける静止画／動画、外部記憶媒体８に記憶されているメディアコンテンツを伸張処理する。
【００５４】
報知ドライバ９１３は、着信処理を検出した際、これを光の点滅や、着信報知音、アラーム報知におけるアラーム音や楽曲などにより報知せしめるために報知用ＬＥＤ９１４、スピーカ９１５を動作させる。音声出力系ドライバ９１６は、ムービー再生モードや、アラーム報知における楽曲の再生においては、ムービーファイルに格納されるオーディオデータやオーディオファイルがステレオ対応である場合、ステレオ音声信号を出力する。スイッチＳＷは、楽曲の再生において、ステレオ対応である場合、第２制御部９０９からの制御により、オン状態となる。
【００５５】
キー入力部９１７は、メニュー表示時におけるフォーカス移動のための十字キー、決定のための決定キー、アドレス帳データ閲覧のためのアドレス帳キー、ネットワーク接続を指示するためのネットワーク接続キー、ムービー再生モードを起動させるためのムービー再生キー、メールモード（受信、作成、編集、送信）を起動させるためのメールキー、オフフックキー、クリアキー（キャンセル検出）、オンフックキー（オールクリア：着信待ち状態にジャンプ指示）、電話番号や文字記号を入力するためのテンキー等からなる。スイッチ処理部９１８は、キー入力部９１７においてどのキーが操作されたかを検出し、操作されたキーに応じたコードを出力する。
【００５６】
表示部３６は、１６：９のアスペクト比の映像表示が可能な２．７ｉｎｃｈ（２４０×４２８ドット）ＴＦＴ液晶（ＱＶＧＡもしくは、ＨＶＧＡ相当の解像度を備える）カラー液晶からなる。表示バッファ９４２は、表示部３６に表示すべき画像データを一時的に格納する。該表示バッファ９４２に格納された画像データは、所定のタイミングで更新される。表示ドライバ９４３は、表示バッファ９４２への書き込み開始／終了アドレスの制御を行う。特に、ムービー再生モードにおいては、表示部３６の長手方向を横位置として動画を再生表示すべく、表示ドライバ９４３にワイドスクリーン表示が設定される。
【００５７】
Ｉｒ通信処理部９３２は、受光素子９３２１、発光素子９３２２を備え、ＤＶＤ／ＨＤＤレコーダ７から送信される赤外線を受光素子９３２１により受光するとともに、発光素子９３２２から各種情報を含む赤外線を送信する。チューナ／復号部（ＯＦＤＭ復号処理部）９４１は、放送受信用アンテナ９４１１により受信された地上波デジタル放送から、１３セグメントで多重化されて配信される番組（メディアコンテンツ）のうち、中央の１セグメントのみを受信して復号する。映像・音声処理部９４０は、チューナ／復号部９４１により復号された映像・音声を最適化する。
【００５８】
Ｂ．実施形態の動作
次に、上述した実施形態の動作について説明する。ここで、図６は、携帯端末９での録画予約時の動作を説明するためのフローチャートである。携帯端末９では、視聴モードが選択されると、地上デジタル放送を受信する受像状態となる（ステップＳ１０）。次に、録画予約操作を検出したか否かを判断し（ステップＳ１２）、録画予約操作が検出されない場合には、当該処理を終了し、図示しないメインルーチンに戻る。一方、録画予約操作が検出された場合には、キーワードが設定されているか否かを判断する（ステップＳ１４）。そして、キーワードが設定されていない場合には、後述するキーワード設定処理を行う（ステップＳ１６）。
【００５９】
既にキーワードが設定されている場合、あるいはキーワード設定処理にてキーワードが設定された場合には、登録名（キーワードリスト）を表示する（ステップＳ１８）。次に、いずれかの登録名（キーワードリスト）が選択されたことを検出したか否かを判断し（ステップＳ２０）、いずれかが選択されたことが検出されると、録画予約内容を表示する（ステップＳ２２）。次に、更新操作を検出したか否かを判断し（ステップＳ２４）、更新操作が検出されると、電子番組表を、受信信号処理部９０１及び通信信号処理部９０３で受信する（ステップＳ２６）。
【００６０】
次に、受信した電子番組表からキーワードにヒット（一致）する番組名、放送予定時間帯を表示し（ステップＳ２８）、その中のいずれかを選択する選択操作を検出したか否かを判断し（ステップＳ３０）、いずれかが選択されると、選択された番組名を記録管理部９１１１に追加し（ステップＳ３２）、当該処理を終了して図示しないメインルーチンに戻る。
【００６１】
次に、図７は、携帯端末９での放送記録処理の動作を説明するためのフローチャートである。携帯端末９では、待受状態において、まず、録画予約時刻の所定時間前になったか否かを判断する（ステップＳ４０）。そして、録画予約時刻の所定時間前でない場合には、当該処理を終了して図示しないメインルーチンに戻る。
【００６２】
一方、録画予約時刻の所定時間前になった場合には、アラームを報知し（ステップＳ４２）、ユーザによる録画指示が検出されたか否かを判断する（ステップＳ４４）。ここで、ユーザによる録画指示が検出された場合には、チューナ／復号部９４１、映像・音声処理部９４０を起動し（ステップＳ４６）、地上デジタル放送の視聴状態とする（ステップＳ４８）。視聴状態においては、録画開始時刻が到来したか否かを判断し（ステップＳ５０）、録画開始時刻でなければ、ステップＳ４８に戻り、地上デジタル放送の視聴を継続する。
【００６３】
一方、録画開始時刻になった場合には、視聴している地上デジタル放送の番組を録画し、ＲＡＭに格納する（ステップＳ５２）。録画中は、録画終了時刻が到来したか否かを判断し（ステップＳ５４）、録画終了時刻になっていない場合には、ステップＳ５２に戻り、番組の録画（ＲＡＭ９１１への格納）を継続する。そして、録画終了時刻になると、チューナ／復号部９４１、映像・音声処理部９４０を停止し（ステップＳ５６）、記録管理部９１１に記録済フラグを立てて（ステップＳ５８）、当該処理を終了して図示しないメインルーチンに戻る。
【００６４】
また、ステップＳ４４で、録画指示が検出されなかった場合には、タイムアップしたか否かを判断し（ステップＳ６０）、タイムアップしていなければ、ステップＳ４２に戻り、アラーム報知を継続する。一方、録画指示が検出されずにタイムアップした場合には、記録済フラグを立てることなく（ステップＳ６２）、当該処理を終了して図示しないメインルーチンに戻る。
【００６５】
次に、図８は、携帯端末９でのダウンロード記録処理の動作を説明するためのフローチャートである。ところで、現状、地上波デジタル放送は、１セグ放送、１２セグ放送は、サイマルキャスト、すなわち、同一時間帯に同じ放送番組が異なるセグメントで配信されることになっている。しかしながら、どちらの放送番組も視聴する機会がなかった人のために、サーバ蓄積型配信サービス（アーカイヴを希望者のみに配信するサービス）が放送局側で考えられ、配信形態としてインターネットが利用される可能性が高い。本携帯端末９でのダウンロード記録処理は、そのような状況を想定したときの処理である。
【００６６】
なお、ダウンロードの予約は、地上デジタル放送を受信する場合とは異なり、無線通信サービス側で管理される配信予定に基づくものである。したがって、配信時間帯を予め携帯端末９側に設定しておく必要があるが、これは公知なので説明を省略する。
【００６７】
携帯端末９では、待受状態において、まず、ダウンロード時刻の所定時間前であるか否かを判断し（ステップＳ７０）、ダウンロード時刻の所定時間前でない場合には、当該処理を終了して図示しないメインルーチンに戻る。一方、ダウンロード時刻の所定時間前であった場合には、受信信号処理部９０１に加え、通信信号処理部９０３を起動し（ステップＳ７２）、基地局に問い合わせ（ステップＳ７４）、コンテンツデータをダウンロードして格納する（ステップＳ７６）。次に、ダウンロードが完了したか否かを判断し（ステップＳ７８）、ダウンロードが完了していない場合には、ステップＳ７６に戻り、コンテンツデータのダウンロードを継続する。
【００６８】
一方、ダウンロードが完了した場合には、放送番組名等のデータが付加されているか否かを判断し（ステップＳ８０）、放送番組名等のデータが付加されていない場合には、通信信号処理部９０３を停止し（ステップＳ８４）、当該処理を終了して図示しないメインルーチンに戻る。一方、放送番組名等のデータが付加されている場合には、放送番組名等の情報を書き込み、記録済フラグを立て（ステップＳ８２：図５を参照）、通信信号処理部９０３を停止し（ステップＳ８４）、当該処理を終了して図示しないメインルーチンに戻る。
【００６９】
次に、図９および図１０は、携帯端末９とＤＶＤ／ＨＤＤレコーダ７とのリンク処理の動作を説明するためのフローチャートである。本実施形態では、前述したように、携帯端末９とＤＶＤ／ＨＤＤレコーダ７とは、赤外線通信でリンクを行う。まず、携帯端末９側では、登録名及び録画予約テーブルを読み出して表示する（ステップＳ９０）。次に、この状態で、送信指示が検出されたか否かを判断し（ステップＳ９２）、送信指示が検出されない場合には、ステップＳ９０に戻る。一方、送信指示が検出された場合には、携帯端末９を特定する情報、と照合命令と登録名とを赤外線により送信する（ステップＳ９４）。
【００７０】
ＤＶＤ／ＨＤＤレコーダ７側では、赤外線通信による信号の受信を検出したか否かを判断しており（ステップＳ２００）、赤外線通信による信号を受信しない場合には、当該処理を終了し、図示しないメインルーチンに戻る。一方、赤外線通信により信号を受信したことを検出した場合には、携帯端末９を特定するためのリモコンＩＤを検出したか否かを判断し（ステップＳ２０２）、リモコンＩＤを検出しない場合には、通常の家庭用リモコンと同様に、赤外線信号に基づいた制御処理を行い（ステップＳ２０４）、その後、当該処理を終了する。
【００７１】
一方、携帯端末９を特定するためのリモコンＩＤを検出した場合には、照会命令と登録名とが付加されているか否かを判断する（ステップＳ２０６）。そして、照会命令と登録名とが付加されている場合には、管理情報記憶部７０２を参照し（ステップＳ２０８）、付加されていた登録名が管理情報記憶部７０２に登録されているか否かを判断する（ステップＳ２１０）。
【００７２】
そして、付加されていた登録名が管理情報記憶部７０２に登録されていた場合には、登録済みの放送番組について縮小画面を作成し（ステップＳ２１２）、記録済みの放送番組名、放送時間、縮小画像を、赤外線通信により送信する（ステップＳ２１４）。すなわち、携帯端末９側で照会指示を行った結果、ＤＶＤ／ＨＤＤレコーダ７側にその登録名に対応して記録済みのものがある場合には、その縮小画像（静止画）を携帯端末９に向けて送信する。一方、付加されていた登録名が管理情報記憶部７０２に登録されていない場合には、エラーメッセージを、赤外線通信により送信する（ステップＳ２１６）。
【００７３】
これに対して、携帯端末９側では、赤外線信号の受信を検出したか否かを判断しており（ステップＳ９６）、受信したことが検出されない場合には、登録名及び録画予約テーブルを表示し（ステップＳ１００）、当該処理を終了する。
【００７４】
一方、ＤＶＤ／ＨＤＤレコーダ７からの赤外線信号を受信したことが検出された場合には、受信した信号が、放送番組名及び放送時間であるか、あるいはエラーメッセージであるかを判断する（ステップＳ１０２）。そして、受信した信号が放送番組名及び放送時間であった場合には、録画管理テーブルと照合結果とを表示する（ステップＳ１０４）。次に、照合結果の送信指示が検出されたか否かを判断し（ステップＳ１０６）、照合結果の送信指示が検出された場合には、端末を特定する情報と照合結果と録画情報の表示命令とを、赤外線通信により送信する（ステップＳ１０８）。
【００７５】
また、受信した信号が、エラーメッセージであった場合には、該エラーメッセージを表示し（ステップＳ１１０）、新規登録指示を検出したか否かを判断し（ステップＳ１１２）、新規登録指示が検出されなかった場合には、ステップＳ１００に戻り、登録名及び録画予約テーブルを表示し（ステップＳ１００）、当該処理を終了する。一方、新規登録指示が検出された場合には、ステップＳ３２にて記録管理部９１１１に記憶された録画予約内容に基づいて、端末を特定する情報、新規登録命令、登録名及びキーワードを、赤外線通信により送信する（ステップＳ１１４）。
【００７６】
これに対して、ＤＶＤ／ＨＤＤレコーダ７側では、ステップＳ２１４で、記録済みの放送番組名、放送時間、縮小画像を、赤外線通信により送信した後、赤外線信号の受信を検出したか否かを判断しており（ステップＳ２１８）、受信したことが検出されない場合には、当該処理を終了する。
【００７７】
一方、赤外線信号を受信したことが検出された場合には、携帯端末９を特定するためのリモコンＩＤを検出したか否かを判断し（ステップＳ２２０）、リモコンＩＤを検出しない場合には、前述したステップＳ２０４に戻り、通常の家庭用リモコンと同様に、赤外線信号に基づいた制御処理を行い（ステップＳ２０４）、その後、当該処理を終了する。したがって、ＤＶＤ／ＨＤＤレコーダ７は、リモコンＩＤが検出できない場合、または、検出できても管理情報記憶部７０２に登録されていない場合には、通常の家庭用リモコンと同様の処理を行うことになる。
【００７８】
一方、携帯端末９を特定するためのリモコンＩＤを検出した場合には、付加されている情報が、照合結果及び表示命令であるか、あるいは新規登録命令及び登録名であるかを判断する（ステップＳ２２２）。そして、付加されている情報が、照合結果及び表示命令である場合には、管理情報記憶部７０２を参照し（ステップＳ２２４）、送信された照合結果と管理情報記憶部７０２に記憶された、この携帯端末９を特定する情報に対応した録画情報を再生出力し（ステップＳ２２６）、その後、当該処理を終了する。言い換えると、携帯端末９から録画情報の表示指示（命令）が送信されてこないと、ＤＶＤ／ＨＤＤレコーダ７側では、送信された照合結果と、管理情報記憶部７０２に記憶された、この携帯端末９を特定する情報に対応した録画情報とが表示されないことになる。
【００７９】
ここで、図１１は、リンク処理時におけるＤＶＤ／ＨＤＤレコーダ７が接続されているテレビ５の表示例を示す模式図である。テレビ５には、記録内容のリスト５１が表示されると共に、ＤＶＤ／ＨＤＤレコーダ７にて記録済みであることがアイコン５２で、携帯端末９にて記録済みであることがアイコン５３で示される。なお、ガイダンス５４は、携帯端末９の操作ガイダンスである。
【００８０】
一方、付加されている情報が、新規登録命令及び登録名である場合には、キーワードに基づいた録画予約設定処理を行い（ステップＳ２２８）、その後、当該処理を終了する。すなわち、携帯端末９側で照会指示を行った結果、ＤＶＤ／ＨＤＤレコーダ７側にその登録名が設定されていなかった場合には、ＤＶＤ／ＨＤＤレコーダ７側からエラーメッセージを送信し、これを受信した携帯端末９側では、ＤＶＤ／ＨＤＤレコーダ７への新規登録処理を行う。
【００８１】
なお、上述したフローチャートにおいて、当該処理を終了するまで、携帯端末９とＤＶＤ／ＨＤＤ７とのリンクが保持されているわけではなく、少なくとも携帯端末９側では、送信の際、端末を特定する情報（電話番号）を常にヘッダに設定して各コントロール信号を送信している。
【００８２】
次に、図１２は、携帯端末９の録画ファイル再生時の動作を説明するためのフローチャートである。ユーザにより録画ファイル再生が選択されると、まず、再生メニューを表示し（ステップＳ３００）、記録済み内容のリスト表示の指示が検出されたか否かを判断する（ステップＳ３０２）。そして、記録済み内容のリスト表示の指示が検出された場合には、記録管理部９１１１の内容を読み出し（ステップＳ３０４）、リスト表示する（ステップＳ３０６）。
【００８３】
ここで、図１３は、携帯端末９の記録内容のリスト表示例を示す模式図である。図１３（ａ）に示すリンクされる前の画面では、携帯端末９内での記録状況の表示しかしないのに対し、図１３（ｂ）に示すリンク後の画面では、ＤＶＤ／ＨＤＤレコーダ７の記録状況も表示される。３６１は、放送番組名やチャンネル、放送時刻を表示する表示エリアである。３６２は、携帯端末９での記録状況を表示する表示エリアであり、成功していれば「携帯」、録画していなければ「ＮＧ」表示となる。また、３６３は、縮小画像の表示エリアであり、ＤＶＤ／ＨＤＤレコーダ７とのリンクが行われ、その際、縮小画像が送信されれば、縮小画像３６７として表示される。また、リンクした後、ＤＶＤ／ＨＤＤレコーダ７に記録されているメディアコンテンツについては、表示エリア３６８にその旨が表示される。
【００８４】
次に、上記リスト表示において、いずれかのコンテンツを選択する選択操作が検出されたか否かを判断する（ステップＳ３０８）。そして、選択操作が検出された場合には、選択された内容が携帯端末９に記憶されているか否かを判断し（ステップＳ３１０）、携帯端末９に記憶されている場合には、ＤＶＤ／ＨＤＤレコーダ７にも記録されているか否かを判断する（ステップＳ３１２）。そして、ＤＶＤ／ＨＤＤレコーダ７にも記録されている場合には、選択画面を表示する（ステップＳ３１４）。
【００８５】
より具体的には、携帯端末９、ＤＶＤ／ＨＤＤレコーダ７の両方で記録済みのメディアコンテンツについての再生指示を検出した場合には、図１４（ａ）に示すように、選択を指示するポップアップ３６９を表示する。ユーザは、ポップアップ３６９から「携帯」または「ＤＶＤ」のいずれかを選択する。
【００８６】
次に、携帯端末９での再生指示が検出されたか否かを判断し（ステップＳ３１６）、携帯端末９での再生指示が検出されない場合には、ＤＶＤ／ＨＤＤレコーダ７での再生指示が検出されたか否かを判断する（ステップＳ３１８）。そして、どちらの再生指示も検出されない場合には、ステップＳ３１４に戻る。
【００８７】
一方、ＤＶＤ／ＨＤＤレコーダ７での再生指示が検出された場合には、端末を特定する情報、放送番組名、放送時間及び再生指示コマンドを赤外線でＤＶＤ／ＨＤＤレコーダ７に送信する（ステップＳ３２０）。このとき、携帯端末９には、図１４（ｂ）に示すように、ポップアップ３６９でリモコン送信した旨を表示する。その後、当該処理を終了する。ＤＶＤ／ＨＤＤレコーダ７では、端末を特定する情報、放送番組名、放送時間に従って、選択されたコンテンツが再生される。
【００８８】
一方、携帯端末９での再生指示が検出された場合には、選択されたコンテンツを復号化して再生する（ステップＳ３２４）。その後、当該処理を終了する。
【００８９】
一方、ステップＳ３１２で、選択されたコンテンツがＤＶＤ／ＨＤＤレコーダ７に記憶されていないと判断された場合、すなわち、携帯端末９にのみ記憶されている場合には、再生指示が検出されたか否かを判断し（ステップＳ３２２）、再生指示が検出されない場合には、ステップＳ３０６に戻り、上述した処理を繰り返す。一方、再生指示が検出された場合には、選択されたコンテンツを復号化して再生する（ステップＳ３２４）。その後、当該処理を終了する。
【００９０】
一方、ステップＳ３１０で、選択されたコンテンツが形態端末９に記憶されていないと判断された場合、すなわち、ＤＶＤ／ＨＤＤレコーダ７にのみ記録されている場合には、再生指示が検出されたか否かを判断し（ステップＳ３２６）、再生指示が検出されない場合には、ステップＳ３０６に戻り、上述した処理を繰り返す。一方、再生指示が検出された場合には、端末を特定する情報、放送番組名、放送時間及び再生指示コマンドを赤外線でＤＶＤ／ＨＤＤレコーダ７に送信する（ステップＳ３２８）。このとき、携帯端末９には、前述した図１４（ｂ）に示すポップアップ３６９が表示される。その後、当該処理を終了する。ＤＶＤ／ＨＤＤレコーダ７では、端末を特定する情報、放送番組名、放送時間に従って、選択されたコンテンツが再生される。
【００９１】
上述した実施形態によれば、携帯端末９から、自身を特定する情報とコンテンツを再生出力させるための再生指示コマンドとを赤外線通信によりＤＶＤ／ＨＤＤレコーダ７に送信し、ＤＶＤ／ＨＤＤレコーダ７で、上記再生指示コマンドを受信すると、端末を特定する情報に対応付けられて記憶されているコンテンツを読み出してテレビ５に再生出力するようにしたので、携帯端末９をＤＶＤ／ＨＤＤレコーダ７での再生を遠隔操作できるリモコンとして用いることができる。
【００９２】
また、上述した実施形態によれば、コンテンツの配信予定である電子番組表を携帯端末９で受信し、該配信予定に従った録画予約をＤＶＤ／ＨＤＤレコーダ７に赤外線通信により送信し、ＤＶＤ／ＨＤＤレコーダ７では、上記携帯端末９からの録画予約に従って、コンテンツを受信して記録するようにしたので、携帯端末９をＤＶＤ／ＨＤＤレコーダ７での録画予約を遠隔操作できるリモコンとして用いることができる。
【００９３】
また、上述した実施形態によれば、携帯端末９側においても、コンテンツを特定するキーワードに基づいてコンテンツを受信して録画するようにしたので、携帯端末９単体でも、コンテンツの録画、再生を行うことができる。
【００９４】
また、上述した実施形態によれば、無線通信サービス事業者（兼ＩＳＰ）２１、ＷＷＷ３を介して配信システム１１からコンテンツをダウンロードして保存するようにしたので、容易にコンテンツを取得することができる。
【００９５】
また、上述した実施形態によれば、ＤＶＤ／ＨＤＤレコーダ７で既に記録されたコンテンツに対して記録済フラグを立て、携帯端末９から再生指示があった場合、記録済みのコンテンツの縮小画像を生成して携帯端末９に送信するようにしたので、携帯端末９で容易に記録済みであるか否かを視認することができる。
【図面の簡単な説明】
【００９６】
【図１】本発明の実施形態によるメディアコンテンツシステムの構成を示すブロック図である。
【図２】本実施形態によるＤＶＤ／ＨＤＤレコーダ７の構成を示すブロック図である。
【図３】本実施形態による管理情報記憶部７０２のデータ構成を示す概念図である。
【図４】本実施形態による携帯端末９の構成を示すブロック図である。
【図５】本実施形態による記録管理部９１１１のデータ構成を示す概念図である。
【図６】携帯端末９での録画予約時の動作を説明するためのフローチャートである。
【図７】携帯端末９での放送記録処理の動作を説明するためのフローチャートである。
【図８】携帯端末９でのダウンロード記録処理の動作を説明するためのフローチャートである。
【図９】携帯端末９とＤＶＤ／ＨＤＤレコーダ７とのリンク処理の動作を説明するためのフローチャートである。
【図１０】携帯端末９とＤＶＤ／ＨＤＤレコーダ７とのリンク処理の動作を説明するためのフローチャートである。
【図１１】リンク処理時におけるＤＶＤ／ＨＤＤレコーダ７が接続されているテレビ５の表示例を示す模式図である。
【図１２】携帯端末９の録画ファイル再生時の動作を説明するためのフローチャートである。
【図１３】携帯端末９の記録内容のリスト表示例を示す模式図である。
【図１４】携帯端末９における再生指示時の選択画面の表示例を示す模式図である。
【符号の説明】
【００９７】
１  デジタル放送システム
３  ＷＷＷ
５  テレビ
７  ＤＶＤ／ＨＤＤレコーダ
９  携帯電話
１１  配信システム
１２  認証システム
１３  ゲートウェイサーバ
１４  メディアコンテンツデータベース
１５  放送システム
１６  放送アンテナ
２１  無線通信サービス事業者（兼ＩＳＰ）
２２  基地局
７０１  チューナ部
７０２  管理情報記憶部
７０３  制御部
７０４  ＭＰＥＧ−２（ＴＳ）復号化回路
７０５  映像処理部
７０６  音声処理部
７０７  ＡＶ  Ｉ／Ｏ
７０８  通信処理部
７１０  操作部
７１２  書き込み／読み出し処理部
７１３  ＤＶＤメディア
７１４  記録媒体（ＨＤＤ）
７１５  ＲＡＭ
７１６  Ｉｒ通信処理部
７１６１  受光素子
７１６２  発光素子
９０１  受信信号処理部
９０２  内蔵アンテナ
９０３  通信信号処理部
９０４  メインアンテナ
９０５  第１制御部
９０５１  スイッチ回路
９０５２  通信データ処理部
９０５３  システムＲＯＭ
９０５４  インターフェース処理部
９０５５  音声処理部
９０５６  スイッチ回路
９０５７  オーディオアンプ
９０８  バス
ＳＷ  スイッチ
９０９  第２制御部
９１０  プログラムＲＯＭ
９１１  ＲＡＭ
９１１１  記憶管理部
９１２  圧縮伸張処理部
９１３  報知ドライバ
９１４  報知用ＬＥＤ
９１５  スピーカ
９１６  音声出力系ドライバ
９１７  キー入力部
９１８  スイッチ処理部
９４０  映像・音声処理部
９４１  チューナ／復号部
９４２  表示バッファ
９４３  表示ドライバ
９３２  Ｉｒ通信処理部
９３２１  受光素子
９３２２  発光素子
【図１】
2008085741.tif 000003
【図２】
2008085741.tif 000004
【図３】
2008085741.tif 000005
【図４】
2008085741.tif 000006
【図５】
2008085741.tif 000007
【図６】
2008085741.tif 000008
【図７】
2008085741.tif 000009
【図８】
2008085741.tif 000010
【図９】
2008085741.tif 000011
【図１０】
2008085741.tif 000012
【図１１】
2008085741.tif 000013
【図１２】
2008085741.tif 000014
【図１３】
2008085741.tif 000015
【図１４】
2008085741.tif 000016